(57)【特許請求の範囲】
【請求項１】
金属製の筐体と、
この筐体に嵌め込んで取り付けられ、開口部を有しかつ絶縁性の材料で構成された支持体と、
前記開口部の下縁側に設けた金属製の支軸を中心に回動することにより開閉可能な操作部とを備え、
前記操作部は、絶縁性の材料で構成された操作部カバーと、この操作部カバーの表面を覆う金属製の化粧パネルとを有しており、
前記化粧パネルと前記支軸とが電気的に接続されており、
前記支軸の外周には操作部を開方向に付勢する金属製のキックバネが配置され、このキックバネは、その一部が前記筐体に接触するように設けられていることを特徴とする加熱調理器。
【請求項２】
前記キックバネのコイル状に巻かれたバネ部から延びる一方の端部は、バネ部側の第１直線部と第２直線部とこれらを繋ぐ接続部とを有するクランク状に形成されており、前記第１直線部が前記筐体に接触している請求項１記載の加熱調理器。
【請求項３】
前記筐体の前記第１直線部と接触する部分には、前記キックバネが左右方向に位置ずれするのを防ぐための凹溝が所定の幅を有して形成されている請求項２記載の加熱調理器。
【請求項４】
前記操作部カバーには、前記化粧パネルと前記支軸とを電気的に接続する導通子が設けられている請求項１ないし請求項３のいずれか一項に記載の加熱調理器。
【請求項５】
前記操作部カバーには、前記キックバネの他方の端部と前記化粧パネルとを接触させるための切り欠き部が設けられている請求項２又は３記載の加熱調理器。
【発明の詳細な説明】
【技術分野】
【０００１】
本発明は、加熱調理器に関し、詳しくは、その前面に設けられる開閉式の操作部に静電気対策を施したものに係わる。
【背景技術】
【０００２】
従来、加熱調理器の前面に設けられる操作部として、例えば特許文献１に記載されているように、内部に回路部を有する操作部自体がその下端側に設けた支軸を中心に回動することにより開閉する開閉式のものは知られている。この開閉式の操作部を支持する支持構造は、通常、加熱調理器の前面板の一部を構成する金属製の筐体（本体ともいう）と、この筐体に嵌め込んで取り付けられかつ樹脂など絶縁性の材料で構成された支持体とを備える。そして、前記支持体の下部などに開口部を設け、この開口部の下縁側に前記支軸を設けて操作部を開閉可能に支持する構成になっている。なお、支持体は、操作部を支持する機能以外に、内部に回路部を有する操作部としての機能を備えるものと、電池を収納する電池収納部としての機能を備えるものなどがある。
【０００３】
また、前記開閉式の操作部は、樹脂など絶縁性の材料で構成された操作部カバーの表面に、高級感などを与えるために、金属製の化粧パネルを貼り付けることがある。しかし、この場合、使用者が、静電気を帯びた指で前記化粧パネルに触れた際に、化粧パネルの端面と金属製の筐体との間で放電が発生し、この放電で発生したノイズが操作部内の回路部に影響を与え、誤作動や誤表示などのトラブルを引き起こす虞がある。このような不具合を未然に回避するための静電気対策が必要となる。
【０００４】
このような静電気対策としては、前記例示の特許文献１に記載されているように、前記操作部カバーに、前記化粧パネルと前記支軸とを電気的に接続する導通子を設けるとともに、前記支軸の一端を、筐体側にまで延長して、筐体に設けた支持孔に挿通させる。これにより、使用者が化粧パネルに触れた際に静電気をアースすることが可能になる。
【先行技術文献】
【特許文献】
【０００５】
【特許文献１】特開２０１３−４４４５３号公報
【発明の概要】
【発明が解決しようとする課題】
【０００６】
ところが、前述の如く支軸の一端を、筐体側にまで延長して筐体の支持孔に挿通させる構成にした場合、操作部側と筐体側とで個別に組立ができなくなるため、組立時の作業性が悪くなるという問題がある。
【０００７】
一方、筐体側に、操作部側の支軸の一端と接触する接触端子を設けることが考えられるが、この場合、部品点数が増加し、その分部品管理が煩雑になるとともに、製造コストなどが高くつくという問題がある。
【０００８】
本発明はかかる点に鑑みてなされたものであり、その課題は、特に、操作部を開方向に付勢するために支軸の外周に配置されるキックバネに着目し、このキックバネを利用して支軸と筐体との間の通電を行うことにより、組立作業性を良好に維持しつつ、また部品点数の増加を来すことなく、静電気対策を有効に施し得る加熱調理器を提供することにある。
【課題を解決するための手段】
【０００９】
前記の課題を解決するため、本発明は、加熱調理器として、金属製の筐体と、この筐体に嵌め込んで取り付けられ、開口部を有しかつ絶縁性の材料で構成された支持体と、前記開口部の下縁側に設けた金属製の支軸を中心に回動することにより開閉可能な操作部とを備える。前記操作部は、絶縁性の材料で構成された操作部カバーと、この操作部カバーの表面を覆う金属製の化粧パネルとを有している。また、前記化粧パネルと前記支軸とが電気的に接続され、前記支軸の外周に、操作部を開方向に付勢する金属製のキックバネを配置し、このキックバネは、その一部が前記筐体に接触するように設ける構成にする。
【００１０】
この構成では、支軸の外周に配置したキックバネが支軸と筐体との間の通電を行うため、使用者が化粧カバーに触れた際に静電気をアースすることができる。しかも、キックバネは、操作部を開方向に付勢するための既存のものであるため、部品点数が増加することはない。また、筐体側と、支持体及び操作部側とで個別に組立ができるので、組立作業性を良好に維持することができる。
【００１１】
ここで、前記キックバネの一部が前記筐体に接触するように設ける具体的な形態は、次の通りである。すなわち、前記キックバネのコイル状に巻かれたバネ部から延びる一方の端部は、バネ部側の第１直線部と第２直線部とこれらを繋ぐ接続部とを有するクランク状に形成し、前記第１直線部が前記筐体に接触する構成にする。
【００１２】
また、前記筐体の前記第１直線部と接触する部分に、前記キックバネが左右方向に位置ずれするのを防ぐための凹溝を所定の幅を有して形成することが好ましい。この場合、所定の幅を有する凹溝によってキックバネが左右方向に位置ずれするのを防止できる上、凹溝に幅方向に余裕がある分だけ組立を容易に行うことができる。
【００１３】
さらに、前記操作部カバーに、前記化粧パネルと前記支軸とを電気的に接続する導通子を設けることが好ましい。この場合、操作部カバーに設けた導通子によって化粧パネルと支軸との間の通電が確実に行われるため、実施化を図る上で有利である。
【００１４】
あるいは、前記操作部カバーに、前記キックバネの他方の端部と前記化粧パネルとを接触させるための切り欠き部を設けても良い。この場合、前記導通子を要することなく、既存のキックバネによって化粧パネルと支軸との間の通電が行われるため、部品点数の減少化をより図ることができる。
【発明の効果】
【００１５】
本発明の加熱調理器によれば、支軸の外周に配置したキックバネが支軸と筐体との間の通電を行うため、使用者が化粧カバーに触れた際に静電気をアースすることができる。しかも、キックバネは、操作部を開方向に付勢するための既存のものであるため、部品点数が増加することはない。また、筐体側と、支持体及び操作部側とで個別に組立ができるので、組立作業性を良好に維持することができる。よって、静電気対策を実施上有効に施すことができ、実用性に優れた効果を奏するものである。
【図面の簡単な説明】
【００１６】
【図１】図１は本発明の実施形態に係るガスコンロの全体構成を示す斜視図である。
【図２】図２は図１に示す状態から開閉式の操作部を開いた状態を示す図１相当図である。
【図３】図３は図２に示す状態から回転操作ノブ及び操作ノブを突出位置に操作した状態を示す図１相当図である。
【図４】図４は前記ガスコンロの右側操作ユニットを後方から見た斜視図である。
【図５】図５は前記右側操作ユニットの背面図である。
【図６】図６は同じく底面図である。
【図７】図７は図５のＸ−Ｘ線における拡大断面図である。
【図８】図８は図７のＤ部の拡大図である。
【図９】図９は図５のＹ−Ｙ線における拡大断面図である。
【図１０】図１０は図９のＥ部の拡大図である。
【図１１】図１１は図５のＺ−Ｚ線における拡大断面図である。
【図１２】図１２は図１１のＦ部の拡大図である。
【図１３】図１３は前記右側操作ユニットの筐体の斜視図である。
【図１４】図１４は本発明の別の形態を示す図１２相当図である。
【発明を実施するための形態】
【００１７】
以下、本発明を実施するための形態である実施形態を図面に基づいて説明する。
【００１８】
図１ないし図３は本発明の一実施形態に係る加熱調理器としてのガスコンロ１の全体構成を示す。ガスコンロ１は、ビルトイン型のコンロであり、例えばシステムキッチンのキャビネット内に組み込まれて用いられる。
【００１９】
ガスコンロ１は、ケース本体２と、ケース本体２内に組み込まれた加熱手段とを備えている。加熱手段としては、具体的には、３つのコンロバーナ３，４，５と、グリルバーナ（図示せず）を内蔵したグリル庫６とを備える。３つのコンロバーナ３〜５は、いずれもブンゼンバーナである。また、コンロバーナ３〜５は、手前側の左右２つのコンロバーナ３，４が共に高火力バーナにより構成され、奥側のコンロバーナ５のみが小バーナにより構成されたいわゆるダブル高火力仕様に構成されている。
【００２０】
ケース本体２は、上方に開口する矩形箱状に形成されており、ケース本体２上にはその上方開口を覆う天板１１が設置されている。天板１１の各コンロバーナ３〜５に対応する部位にはそれぞれコンロバーナ挿通口１２が形成され、このコンロバーナ挿通口１２を通して、各コンロバーナ３〜５の略円形状をした上部が上方に露出している。天板１１の上面には、各コンロバーナ３〜５に対応して、それぞれ鍋等の被加熱物を受け止めて支持するための五徳１３が配置されている。また、天板１１の奥側部位（後部）にはグリル庫６の燃焼排気ガスを排気するためのグリル排気口１４が設けられている。
【００２１】
ケース本体２の前面側の左右方向中央部には、グリル庫６への調理物の出し入れを行うためのグリル用開口部１５が設けられているとともに、このグリル用開口部１５を覆うグリル扉１６が開閉可能に設けられている。グリル庫６は、図示していないが、内部にグリルバーナを配置して、内部空間を燃焼室とするものである。
【００２２】
ケース本体２の前面側には左右２つの操作ユニット１７，１８がグリル庫６のグリル扉１６を挟んだ状態で設けられている。各操作ユニット１７，１８は、いずれも上半部に第１の操作部１７ａ，１８ａを備え、下半分に第２の操作部１７ｂ，１８ｂを備えている。
【００２３】
左側操作ユニット１７の第１の操作部１７ａには左右２つの回転操作ノブ２１，２２が設けられている。左側の回転操作ノブ２１は、手前左側のコンロバーナ３用のものであって、その中心線方向（前後方向）の移動により、消火を指令するための押し込み位置と、この押し込み位置よりも前方に突出して点火を指令するための突出位置とに切り替え可能に構成され、かつ前記突出位置にて燃焼量を調整すべく回転操作可能に構成されている。右側の回転操作ノブ２２は、奥側のコンロバーナ５用のものであって、左側の回転操作ノブ２１と同様に構成されている。
【００２４】
左側操作ユニット１７の第２の操作部１７ｂは、下端側を支軸として手前側に引き出し回動可能な開閉式のものであり、手前側に引き出した開状態のときには、設定入力パネル２３が露出するようになっている。設定入力パネル２３は、手前左側のコンロバーナ３と奥側のコンロバーナ５用のものであって、両コンロバーナ３，５の各種の設定が行い得る構成になっている。第２の操作部１７ｂが閉状態のときには、その表面（前面）は、第１の操作部１７ａの表面と略面一になる。
【００２５】
右側操作ユニット１８の第１の操作部１８ａには操作ノブ２４と回転操作ノブ２５とが左右に並んで設けられている。操作ノブ２４は、グリル庫６用のものであって、その中心線方向の移動により、消火を指令するための押し込み位置と、この押し込み位置よりも前方に突出して点火を指令するための突出位置とに切り替え可能に構成されている。回転操作ノブ２５は、手前右側のコンロバーナ４用のものであって、その中心線方向の移動により、消火を指令するための押し込み位置と、この押し込み位置よりも前方に突出して点火を指令するための突出位置とに切り替え可能に構成され、かつ前記突出位置にて燃焼量を調整すべく回転操作可能に構成されている。
【００２６】
右側操作ユニット１８の第２の操作部１８ｂは、下端側を支軸として手前側に引き出し回動可能な開閉式のものであり、手前側に引き出した開状態のときには、設定入力パネル２６が露出するようになっている。設定入力パネル２６は、グリル庫６と手前右側のコンロバーナ４用のものであって、これらの各種の設定を行い得る構成になっている。第２の操作部１８ｂが閉状態のときには、その表面（前面）は、第１の操作部１８ａの表面と略面一になる。
【００２７】
左側操作ユニット１７と右側操作ユニット１８とは、基本的な構成は同じであり、以下に、右側操作ユニット１８について、図４ないし図１３を用いてさらに説明する。
【００２８】
すなわち、右側操作ユニット１８は、図４ないし図６に示すように、金属（鉄やアルミニウム等）製の筐体３０と、この筐体３０に嵌め込んで取り付けられた支持体５０と、この支持体５０に開閉可能に支持された操作部７０と、コネクタ保持部材９０とを備えている。
【００２９】
筐体３０は、図１３に詳示するように、上板部３１と左右の側板部３２，３３と底板部３４とにより全体が縦長矩形枠状に形成されている。筐体３０は、ケース本体２の前面部の一部を構成するものであって、ケース本体２及びそれに接続されたアース線（図示せず）を介してアースされる。左側の側板部３２には、グリル庫６側の部材と連結するためのフランジ部３５及び位置決めピン３６が設けられている。
【００３０】
筐体３０には、上板部３１の前縁部から左右の側板部３２，３３の上部前縁部に亘って延びる門型状のフランジ部３７が形成され、このフランジ部３７の左右２つの隅角部にはそれぞれ位置決めピン用の挿入孔３８と締結用の挿入孔３９とが設けられている。また、底板部３４の後縁部にはこの後縁部を上方に折り曲げてなるフランジ部４０が形成され、このフランジ部４０には締結用の挿入孔４１が設けられている。そして、筐体３０に対しその前方から支持体５０を嵌め込んだときには、支持体５０に設けた位置決めピン５１（図５参照）が挿入孔３８に挿入して位置決めを行い、それと同時に、各フランジ部３７，４０にそれぞれ支持体５０の対応する部位が当接する。この状態で各締結用の挿入孔３９，４１に締結部材（止めねじ又はボルトとナット）を挿入して締結することにより、筐体３０に支持体５０が取り付けられる。
【００３１】
支持体５０は、樹脂などの絶縁性の材料で構成されたものであって、筐体３０に嵌まり込む可能な大きさの縦長矩形状に形成されている。支持体５０は、その上部側で第１の操作部１８ａとしての機能を発揮する構成になっている。
【００３２】
すなわち、支持体５０の上部内側には、操作ノブ２４を中心線方向に移動可能に保持する保持機構５２と、回転操作ノブ２５を中心線方向に移動可能にかつ中心線回りに回転操作可能に保持する保持機構５３と、操作ノブ２４及び回転操作ノブ２５の操作に関連したＬＥＤ等の発光装置及びその他の電子部品とが設けられている。
【００３３】
また、支持体５０は、図７、図９及び図１１にも示すように、その上部表面を構成する操作部カバー５４と、この操作部カバー５４の表面を覆う化粧パネル５５とを有している。操作部カバー５４は、樹脂などの絶縁性の材料で構成されたものであり、操作部カバー５４の横幅寸法は、支持体５０のそれよりも所定寸法大きく設定され、その寸法分筐体３０の右側板部３３よりも側方に突出するようになっている。このため、操作部カバー５４は、支持体５０に対し、フック部と挿入孔との係合構造（図示せず）によって取り外し可能に取り付けられている。化粧パネル５５は、金属製のものであり、操作部カバー５４の表面の略全体に貼り付けられている。
【００３４】
支持体５０は、その下部に略矩形状の開口部５６を有している。支持体５０の開口部５６の周縁を囲む部分のうち、左右の側縁部はそれぞれ板状の開口側壁部５７，５８により構成され、下縁部は開口下壁部５９により構成されている。支持体５０は、開口部５６の下縁側でかつ左右の開口側壁部５７，５８間に架設した支軸６０を介して操作部７０を開閉可能に支持するようになっている。支軸６０は金属製のものであり、その長さは、左右の開口側壁部５７，５８の外面同士間の距離と略同一に設定されている。このため、支軸６０の一端が筐体３０の対応する側板部３２又は３３に接触することはない（図１３参照）。
【００３５】
支持体５０の開口下壁部５９には電池６１を収納する電池収納部６２の固定収納部６３が一体成形されている。電池収納部６２は、固定収納部６３と、この固定収納部６３に対し前後方向にスライド可能に嵌合された可動収納部６４とからなり、可動収納部６４を固定収納部６３に嵌合した状態から後方に引き出すことにより、電池６１の交換などができるようになっている。なお、左側操作ユニット１７は、電池収納部６２を備えておらず、右側操作ユニット１８の電池収納部６２内の電池６１を共通の電源とするようになっている。
【００３６】
操作部７０は、第２の操作部１８ｂを構成するものであって、支軸６０を中心に回動することにより開閉可能に設けられている。操作部７０は、図７に示すように、操作部本体７１と、操作部本体７１の前面部７１ａと共に操作部７０の前面部を構成する操作部カバー７２と、操作部カバー７２の表面を覆う化粧パネル７３とを有している。
【００３７】
操作部本体７１は、樹脂などの絶縁性の材料で構成されたものであって、前面部７１ａとパネル面部７１ｂとを左右の略三角形状の側面部７１ｃ，７１ｃの２辺でそれぞれ挟むように形成されている。各側面部７１ｃの１つの角部でかつ前面部７１ａの下端側に対応した角部に支軸６０が貫通するようになっている。パネル面部７１ｂの表面には設定入力パネル２６が貼り付けられているとともに、パネル面部７１ｂの裏面側には設定入力パネル２６に関連した制御基板７４などが取り付けられている。パネル面部７１ｂの後端部には突起部７５が形成されている。そして、操作部本体７１ひいては操作部７０が支軸６０を中心に回動して開いたとき、突起部７５が支持体５０の開口部５６上縁側に形成したストッパ部６５に当接して開位置を定めるようになっている。
【００３８】
支軸６０の外周には操作部７０を開方向に付勢するキックバネ７６が配置されている。キックバネ７６は、金属製のものであり、図６及び図１３に示すように、コイル状に巻かれたバネ部７６ａと、このバネ部７６ａの両端からそれぞれ略直線状に延びる端部７６ｂ，７６ｃとからなる。一方の端部７６ｂは、図１０に拡大詳示するように、支持体５０の開口下壁部５９に設けた挿入孔６６に挿入されており、他方の端部７６ｃは、図１２に拡大詳示するように、操作部本体７１の前面部７１ａの裏面側に形成した凹部７７に嵌め込まれている。
【００３９】
また、図示していないが、操作部本体７１の前面部７１ａの裏面側には係合用突起部が設けられている一方、固定収納部６３の前端側には、この係合用突起部に対応して、ロック装置が取り付けられている。そして、操作部７０を閉じたときには、ロック装置が係合用突起部に係合ロックして操作部７０を閉位置に保持し、この閉位置から操作部７０の前面側を押すとロック装置のロック状態が解除し、キックバネ７６の付勢力により操作部７０が支軸６０を中心に回動して開くようになっている。
【００４０】
操作部カバー７２は、操作部カバー５４と同じく、樹脂などの絶縁性の材料で構成されたものであり、操作部カバー７２の横幅寸法は、支持体５０のそれよりも所定寸法大きく設定され、その寸法分筐体３０の右側板部３３よりも側方に突出するようになっている。また、操作部カバー７２は、操作部本体７１に対し、支軸６０を中心に相対的に回動して開閉するように設けられており、閉位置では操作部カバー７２がフック部と挿入孔との係合構造（図示せず）により固定される。操作部カバー７２は、図示していないが、支軸６０を受ける軸受け部に切り欠き部が設けられ、この切り欠き部にて軸受け部が支軸６０から抜けて取り外せるようになっている。化粧パネル７３は、金属製のものであり、操作部カバー７２の表面の略全体に貼り付けられている。
【００４１】
コネクタ保持部材９０は、樹脂などの絶縁性の材料で構成されたものであって、支持体５０の上部内側及び固定収納部６３の後端側にそれぞれ止めねじ９１により固定されている。コネクタ保持部材９０の下部にコネクタ９２を保持する構成になっている。
【００４２】
ここで、操作部７０の化粧パネル７３に対し静電気対策を施さなかった場合には、使用者が静電気を帯びた指で化粧パネル７３に触れると、空間距離や沿面距離が短い部分、例えば化粧パネル７３の端面から支軸６０への放電や化粧パネル７３の端面からその近傍の筐体３０への放電が生じ、大きなインパルスノイズが発生し、操作部７０のパネル面部７１ｂ裏側の制御基板７４などに影響を与え、誤作動や誤表示などのトラブルを引き起こすことになる。このため、本実施形態では、操作部７０の化粧パネル７３に対して静電気対策が施されており、以下、この静電気対策について説明する。なお、支持体５０上部の化粧パネル５５は、操作部７０の化粧パネル７３の如く支軸６０を中心に回動するものではなく、放電を生じるような空間距離や沿面距離の短い部分がないので、静電気対策は施されていない。
【００４３】
すなわち、本実施形態の場合、静電気対策として、操作部カバー７２には、図８に示すように、化粧パネル７３と支軸６０とを電気的に接続する導通子１０１が設けられている。導通子１０１は、鉄や銅等の金属の棒材をＬ形に折り曲げて形成されており、この導通子１０１の一辺は、操作部カバー７２と化粧パネル７３との間に挟まれている。また、導通子１０１の他辺は、操作部カバー７２に設けた保持部１０２により保持された状態で支軸６０に接触するようになっており、この接触状態は、操作部７０が支軸６０を中心に回動するときにも維持される。
【００４４】
また、キックバネ７６は、図１０に示すように、その一方の端部７６ｂが筐体３０の底板部３４に接触するように設けられている。従来の如くキックバネ７６の一方の端部７６ｂが単に直線状に延びて開口下壁部５９の挿入孔６６に挿入される場合、キックバネ７６の一方の端部７６ｂが筐体３０の底板部３４に接触することはない。
【００４５】
これに対し、本実施形態では、キックバネ７６の一方の端部７６ｂは、バネ部７６ａ側の第１直線部７６ｄと第２直線部７６ｅとこれらを繋ぐ接続部７６ｆとを有するクランク状に形成されている。一方、筐体３０の底板部３４の前縁部には、図１３にも示すように、この前縁部を上方に立ち上げてなる立ち上げ部１０３が形成されており、第１直線部７６ｄが立ち上げ部１０３に接触しており、第２直線部７６ｅは、開口下壁部５９の挿入孔６６に挿入されている。筐体３０の第１直線部７６ｄと接触する部分である立ち上げ部１０３には、キックバネ７６が左右方向に位置ずれするのを防ぐための凹溝１０４が所定の幅を有して形成されている。
【００４６】
以上説明したように、支軸６０の外周に配置したキックバネ７６は、その一部（一方の端部７６ｂ）が筐体３０に接触するように設けられている。このため、キックバネ７６が支軸６０と筐体３０との間の通電を行うことになり、化粧パネル７３と支軸６０とが導通子１０１により電気的に接続されていることと相俟って、静電気をアースすることができる。換言すれば、金属製の化粧パネル７３は、いずれも金属製の導通子１０１、支軸６０及びキックバネ７６を介して筐体３０ひいてはケース本体２に電気的に接続されることになり、使用者が静電気を帯びた指で化粧パネル７３に触れると、使用者の指から化粧パネル７３に流れた電荷は、速やかにケース本体２に流され、いわゆるボディアースされることになり、放電の発生及びそれに伴うノイズの発生を防止することができる。
【００４７】
しかも、キックバネ７６は、操作部７０を開方向に付勢するための既存のものであるため、部品点数が増加することはない。また、支軸６０の一端を、各操作ユニット１７，１８の筐体３０側にまで延長して筐体３０の支持孔に挿通させる構成にした場合の如く各操作ユニット１７，１８を一体的に組み立てる必要はなく、各操作ユニット１７，１８の筐体３０側と、支持体５０及び操作部７０側とで個別に組立ができるので、組立作業性を良好に維持することができる。よって、静電気対策を実施上有効に施すことができ、実用性に優れた効果を奏するものである。
【００４８】
特に、本実施形態の場合、キックバネ７６の一部を筐体３０に接触させるために、キックバネ７６の一方の端部７６ｂを、バネ部７６ａ側の第１直線部７６ｄと第２直線部７６ｅとこれらを繋ぐ接続部７６ｆとを有するクランク状に形成する一方、筐体３０の底板部３４の前縁部に、この前縁部を上方に立ち上げてなる立ち上げ部１０３を形成した。そして、第１直線部７６ｄが立ち上げ部１０３に接触し、第２直線部７６ｅが支持体５０の挿入孔６６に挿入される構成にした。このような構成により、キックバネ７６の一部を筐体３０に確実に接触させることができるので、実施化を図る上で有効である。
【００４９】
また、筐体３０の第１直線部７６ｄと接触する部分である立ち上げ部１０３に、キックバネ７６が左右方向に位置ずれするのを防ぐための凹溝１０４が所定の幅を有して形成されているため、所定の幅を有する凹溝１０４によってキックバネ７６が左右方向に位置ずれするのを防止できる上、凹溝１０４に幅方向に余裕がある分だけ組立を容易に行うことができる。
【００５０】
さらに、操作部カバー７２に、化粧パネル７３と支軸６０とを電気的に接続する導通子１０１が設けられているため、化粧パネル７３と支軸６０との間の通電を導通子１０１によって確実に行うことができる。
【００５１】
なお、本発明は前記実施形態に限定されるものではなく、その他種々の形態を包含するものである。例えば前記実施形態では、操作部カバー７２に、化粧パネル７３と支軸６０とを電気的に接続する導通子１０１を設けたが、本発明は、導通子１０１の代わりに、キックバネ７６の他方の端部７６ｃを用いて化粧パネル７３と支軸６０との間の通電を行うように構成しても良い。例えば図１４に示すように、操作部本体７１（図１１参照）の前面部７１ａに、キックバネ７６の他方の端部７６ｃに対応して、切り欠き部１２１を設けるとともに、操作部カバー７２に、キックバネ７６の他方の端部７６ｃの先端に設けたループ部７６ｇに対応して、切り欠き部１２２を設ける。そして、両切り欠き部１２１，１２２を通して、キックバネ７６のループ部７６ｇと化粧パネル７３とが接触する構成にする。この構成では、導通子１０１を要することなく、既存のキックバネ７６によって化粧パネル７３と支軸６０との間の通電が行われるため、部品点数の減少化をより図ることができる。
【００５２】
また、前記実施形態では、支持体５０は、その上部側で第１の操作部１８ａとしての機能を発揮し、下部に開口部５６を有し、この開口部５６で操作部７０を開閉可能に支持する構成にした。しかし、本発明は、これに限らず、支持体５０の上部側に電池収納部としての機能又はその他の機能を持たせる構成にしたり、支持体の略全面に開口部を設け、この開口部で操作部を開閉可能に支持するように構成したりしても良い。
【００５３】
さらに、本発明は、前記実施形態の如きビルトイン型のガスコンロ１に限らず，その他のガスコンロ、電磁調理器などのガスコンロ以外の加熱調理器にも同様に適用することができるのは勿論である。
【符号の説明】
【００５４】
１    ガスコンロ（加熱調理器）
１７，１８    操作ユニット
３０    筐体
５０    支持体
５６    開口部
６０    支軸
７０    操作部
７２    操作部カバー
７３    化粧パネル
７６    キックバネ
７６ａ  バネ部
７６ｂ  一方の端部
７６ｃ  他方の端部
７６ｄ  第１直線部
７６ｅ  第２直線部
７６ｆ  接続部
１０１    導通子
１０３    立ち上げ部
１０４    凹溝
１２２    切り欠き部
【図１】
0006535234.tif 000002
【図２】
0006535234.tif 000003
【図３】
0006535234.tif 000004
【図４】
0006535234.tif 000005
【図５】
0006535234.tif 000006
【図６】
0006535234.tif 000007
【図７】
0006535234.tif 000008
【図８】
0006535234.tif 000009
【図９】
0006535234.tif 000010
【図１０】
0006535234.tif 000011
【図１１】
0006535234.tif 000012
【図１２】
0006535234.tif 000013
【図１３】
0006535234.tif 000014
【図１４】
0006535234.tif 000015